(57)【要約】【課題】本発明は、乗籠の内部を消毒することで乗籠内で感染するリスクを軽減することのできるエレベータシステムを提供する。【解決手段】エレベータシステム１は、乗籠２と、噴霧装置３，４と、制御装置５とを備える。噴霧装置３，４は、乗籠２内に消毒液Ａを噴霧する。制御装置５は、乗籠２に少なくとも一度乗客が乗ったあと、乗客が全員降りたことを判断して噴霧装置３，４を作動させる。【選択図】      図１
2011051715.tif 000002
【特許請求の範囲】
【請求項１】
乗籠と、
前記乗籠内に消毒液を噴霧する噴霧装置と、
前記乗籠に少なくとも一度乗客が乗ったあと、前記乗客が全員降りたことを判断して前記噴霧装置を作動させる制御装置と
を備えることを特徴とするエレベータシステム。
【請求項２】
前記噴霧装置は、
前記乗籠の中に配置される操作ボタンの近傍の側壁に設置され、前記操作ボタンに向けて前記消毒液を噴霧する
ことを特徴とする請求項１に記載のエレベータシステム。
【請求項３】
前記乗籠は、天井と側壁との間に隙間を有しており、
前記噴霧装置は、前記乗籠の天井の上に設置され、前記隙間から前記消毒液のミストを噴霧する
ことを特徴とする請求項１または請求項２に記載のエレベータシステム。
【請求項４】
前記制御装置は、前記噴霧装置が作動している間および作動後の一定時間、各階の乗場に設置されているホール呼びボタンが操作されても、前記乗籠のドア装置を開かない
ことを特徴とする請求項１から請求項３のいずれか１項に記載のエレベータシステム。
【請求項５】
前記制御装置は、前記ドア装置を開かない間、前記噴霧装置が作動していることを前記乗場に報知する
ことを特徴とする請求項４に記載のエレベータシステム。
【請求項６】
前記制御装置は、前記乗籠に移動する方向が設定されていない状態で、一定時間が経過した場合に、前記噴霧装置を作動させる
ことを特徴とする請求項１に記載のエレベータシステム。
【請求項７】
前記制御装置は、前記乗籠の中に設置される操作ボタンから設定された目的階がすべてなくなり、最終到着階の乗場に設置されたホール呼びボタンも操作されていない場合に、前記噴霧装置を作動させる
ことを特徴とする請求項１に記載のエレベータシステム。
【請求項８】
前記制御装置は、前記乗籠が一定時間運転した後で、前記乗籠の中に設置される操作ボタンから設定された目的階がなく、かつ、各階の乗場に設置されているホール呼びボタンも操作されていない場合に、前記噴霧装置を作動させる
ことを特徴とする請求項１に記載のエレベータシステム。
【請求項９】
前記制御装置は、前記乗籠に積載されているものの重量を検知して前記乗籠に何も乗っていないと判断した場合に、前記噴霧装置を作動させる
ことを特徴とする請求項１に記載のエレベータシステム。
【請求項１０】
前記乗籠の中の気温および湿度を調整する空気調節機をさらに備え、
前記制御装置は、前記噴霧装置を作動させる場合に、前記空気調節機を前記噴霧装置が作動していないときと異なる気温および湿度で運転させる
ことを特徴とする請求項６から請求項９のいずれか１項に記載のエレベータシステム。
【請求項１１】
前記乗籠内に音声で案内を行う報知装置をさらに備え、
前記制御装置は、前記噴霧装置が一定時間以上、作動していない場合に、前記報知装置で、前記乗籠に乗った乗客に対して感染症に対する注意を喚起する
ことを特徴とする請求項１に記載のエレベータシステム。
【請求項１２】
前記制御装置は、各階の乗場に設置されているホール呼びボタンのうち、建物の外部に接続される基準階に向かう方向の前記ホール呼びボタンが操作された場合に、前記基準階を目的階として自動登録する
ことを特徴とする請求項１に記載のエレベータシステム。
【請求項１３】
前記乗籠の中に配置された操作ボタンを操作して目的階が設定されている場合、
前記制御装置は、各階の乗場に設置されたホール呼びボタンに応答しない
ことを特徴とする請求項１に記載のエレベータシステム。
【請求項１４】
前記制御装置は、前記乗籠を各階に停止させる各階停止運転を自動で行う
ことを特徴とする請求項１に記載のエレベータシステム。
【発明の詳細な説明】
【技術分野】
【０００１】
本発明は、乗籠の内部を消毒する機構を備えるエレベータシステムに関する。
【背景技術】
【０００２】
乗籠の内部に正負イオンを放出するイオン発生装置を備えるエレベータ装置が、特許文献１に記載されている。このエレベータ装置は、イオン発生装置によって交流高電圧を電極間に印加して空気中の酸素や水分を正イオンと負イオンとに電離し、過酸化水素水または水酸基ラジカルを生成することで、空気中の浮遊細菌を不活性化する。また、特許文献１に記載のエレベータ装置は、臭気センサや人体検知センサを備え、設定値以上の臭気を検出した場合や、人の存在を検知した場合に、イオン発生装置を駆動する。
【０００３】
また、乗籠の内部を清浄化するために、霧化ミストを放出する静電霧化装置を備えるエレベータ装置が、特許文献２に記載されている。このエレベータ装置は、静電霧化装置によって霧化ミスト（帯電微粒子水）を生成し、乗籠の内部の空気だけでなく、乗客の衣服や籠内の緩衝フェルト繊維の内部まで浸透し、体臭、タバコ臭、籠室内にこびり付いた臭いを脱臭する。また、この霧化ミストは、ノミやダニの死骸などのアレルゲンだけでなくカビや一般生菌などを不活性化したり、特にインフルエンザなどの病原菌ウイルスを不活性化する効果があることが記載されている。特許文献２に記載されたエレベータ装置の静電霧化装置は、乗客が乗籠内にいることを重量検知センサによって検出した場合に、作動する。また、臭気検知センサで臭気を検知した場合にも、静電霧化装置は作動する。
【先行技術文献】
【特許文献】
【０００４】
【特許文献１】特開２００４−９９２０５号公報
【特許文献２】特開２００８−１８４３２２号公報
【発明の概要】
【発明が解決しようとする課題】
【０００５】
しかしながら、特許文献１および特許文献２に記載された技術は、いずれも乗籠に乗客が居る状態で適用される。したがって、籠室内の脱臭やウイルスの不活性化を行うとしても、乗客が不快に思うほど多量にイオンや霧化ミストを放出するわけにはいかない。また、乗籠内の混雑状況によっては、空気の循環が十分に行われない。つまり、脱臭やウイルスが不活性化される程度は、そのときの乗籠の混雑の度合いによって変化する。
【０００６】
また、インフルエンザなどの感染症によっては、空気中に浮遊する飛沫を吸い込むことによって感染するだけでなく、飛沫の付着したところを触った手を通して口から感染することが知られている。そのため、病院や公共機関では、手で触れる箇所の近くに消毒用アルコールを設置していることもある。
【０００７】
エレベータの場合、乗籠という小さな個室に不特定多数の乗客が乗り合わせる。そして、乗客は、行先階を入力するために、操作盤に必ず手で触れる。したがって、飛沫感染であれ、接触感染であれ、インフルエンザなどのはやっている時期にエレベータを利用すると、そのインフルエンザなどに感染するリスクが高くなる。そして、病院のエレベータを利用する場合、さらにそのリスクは高くなる。特許文献１および２に記載された技術では、接触感染に対する積極的な対策が施されていないため、インフルエンザなどに感染するリスクを軽減できているとはいえない。
【０００８】
そこで、本発明は、乗籠の内部を消毒することで乗籠内で感染するリスクを軽減することのできるエレベータシステムを提供する。
【課題を解決するための手段】
【０００９】
本発明の一形態のエレベータシステムは、乗籠と、噴霧装置と、制御装置とを備える。噴霧装置は、乗籠内に消毒液を噴霧する。制御装置は、乗籠に少なくとも一度乗客が乗ったあと、乗客が全員降りたことを判断して噴霧装置を作動させる。
【００１０】
この場合、噴霧装置は、乗籠の中に配置される操作ボタンの近傍の側壁に設置され、操作ボタンに向けて消毒液を噴霧する。または、乗籠は、天井と側壁との間に隙間を有しており、噴霧装置は、乗籠の天井の上に設置され、隙間から消毒液のミストを噴霧する。
【００１１】
乗客が消毒液の分に機に晒されることを防止するために、制御装置は、噴霧装置が作動している間および作動後の一定時間、各階の乗場に設置されているホール呼びボタンが操作されても、乗籠のドア装置を開かないようにする。また、制御装置は、ドア装置を開かない間、噴霧装置が作動していることを乗場にいる利用客に報知する。
【００１２】
そして、制御装置は、乗籠に移動する方向が設定されていない状態で、一定時間が経過した場合に、噴霧装置を作動させる。または、制御装置は、乗籠の中に設置される操作ボタンから設定された目的階がすべてなくなり、最終到着階の乗場に設置されたホール呼びボタンが操作されていない場合に、噴霧装置を作動させる。または、制御装置は、乗籠が一定時間運転した後で、乗籠の中に設置される操作ボタンから設定された目的階がなく、かつ、各階の乗場に設置されているホール呼びボタンも操作されていない場合に、噴霧装置を作動させる。または、制御装置は、乗籠に積載されているものの重量を検知して乗籠に何も乗っていないと判断した場合に、噴霧装置を作動させる。
【００１３】
さらに、このエレベータシステムは、乗籠の中の気温および湿度を調整する空気調節機をさらに備える。そして、制御装置は、噴霧装置を作動させる場合に、空気調節機を噴霧装置が作動していないときと異なる気温および湿度で運転させる。また、このエレベータシステムは、乗籠内に音声で案内を行う報知装置をさらに備える。そして、制御装置は、噴霧装置が一定時間以上、作動していない場合に、報知装置で、乗籠に乗った乗客に対して感染症に対する注意を喚起する。
【００１４】
また、制御装置は、各階の乗場に設置されているホール呼びボタンのうち、建物の外部に接続される基準階に向かう方向のホール呼びボタンが操作された場合に、基準階を目的階として自動登録する。乗籠の中に配置された操作ボタンを操作して目的階が設定されている場合、制御装置は、各階の乗場に設置されたホール呼びボタンに応答しない。制御装置は、乗籠を各階に停止させる各階停止運転を自動で行う。
【発明の効果】
【００１５】
本発明に係るエレベータシステムによれば、乗籠に乗客が一度乗った後は全員降りた後に必ず消毒液を噴霧する。乗籠内部は、乗客がいない状態で消毒されるので、インフルエンザなどの感染症を確実に除菌できる程度に十分に消毒液を噴霧することができる。したがって、その都度、乗籠内の清浄度が約束されるので、このエレベータシステムは、インフルエンザなどに感染するリスクを確実に軽減できる。
【００１６】
また、乗籠の中に配置される操作ボタンに消毒液を噴霧するエレベータシステムによれば、操作ボタンに付着した病原菌なども含む雑菌を死滅させることができ、操作ボタンを介して接触感染するリスクを軽減できる。また、噴霧装置を乗籠の天井の上に設置し、天井と側壁との隙間から消毒液のミストを噴霧するエレベータシステムによれば、乗籠の内壁面および内壁に取り付けられた手摺の除菌とともに乗籠内の空気も浄化することができる。噴霧装置が作動している間およびその後一定の時間、ホール呼びに対してドア装置を開かないエレベータシステムによれば、消毒液による不快感を利用者に与えない。また、噴霧装置が作動していることを乗場に表示するエレベータシステムによれば、待っている利用者に安心感を与えることができる。
【００１７】
乗籠に移動方向が設定されていない状態で一定時間が経過した場合に噴霧装置を作動させるエレベータシステムによれば、利用頻度の少ない時間帯に消毒作業を済ませることができる。乗籠内の操作ボタンから設定された目的階がすべてなくなり、最終到着階の乗場に設置されたホール呼びボタンが操作されていない場合に噴霧装置を作動させるエレベータシステムによれば、利用頻度の多い場合でも次に利用客がいないことを判断して消毒作業を行うことができる。
【００１８】
乗籠が一定時間運転した後で、乗籠内野操作ボタンから設定された目的階がなく、各階の乗場に設置されたホール呼びボタンも操作されていない場合に噴霧装置を作動させるエレベータシステムによれば、例えば病原菌なども含む雑菌が繁殖するよりも短い時間に一定時間を設定することで、乗籠内の清浄度を維持するための消毒作業の回数を少なくすることができる。また、乗籠に積載されているものの重量を検知して乗籠に何も乗っていないことを判断し噴霧装置を作動させるエレベータシステムによれば、乗籠内に利用客がいないことを確実に判断することができる。たとえ誤って入力された目的階の情報が残留していても、乗客がいないことが確実に判断できる。したがって、利用頻度の高い時間帯でも、利用客がいないことが分かった時点ですぐに消毒作業を実施することができる。
【００１９】
乗籠中の温度および湿度を調整できる空気調節器を備え、噴霧装置を作動させる場合にこの空気調節器も併用し、噴霧装置が作動していないときと異なる温度および湿度の設定で運転させるエレベータ装置によれば、利用者がいなくなった時点で、インフルエンザウイルスなど感染症の原因菌が死滅する環境に乗籠内の温度および湿度を調整することができる。消毒液の噴霧装置と併用することで、乗籠の中の除菌をより確実なものにし、感染するリスクを軽減できる。空気調節器の温度および湿度を変化させるのは、噴霧装置が作動するときであり、利用客がいないときであるので、利用客に不快な思いをさせることがない。
【００２０】
また、乗籠内に音声で案内を行う報知装置を設け、噴霧装置が一定時間以上作動していない状態である場合に報知装置から乗籠に乗った乗客に対して感染症に対する注意を喚起するエレベータシステムによれば、注意を喚起することで感染のリスクを低減することができる。各階の乗場に設置されているホール呼出ボタンのうち、基準階に向かう方向のホール呼びボタンが操作された場合、基準階を目的階として自動登録するエレベータシステムによれば、不特定多数の利用者が触る基準階を登録するための操作ボタンに触れることなく、移動することができる。特別な装置を採用することなく既存の設備の制御を変えてやることで、感染のリスクを低減できる。さらに、乗籠の中に設置された操作ボタンを操作して目的階が設定されている場合に、各階の乗場に設置されたホール呼びボタンに応答しないエレベータシステムによれば、不特定多数の利用客が同時に乗り合わせる機会を減らすことで、人から人への直接的な飛沫感染を防ぐことで、感染のリスクを軽減することができる。上記各構成に加えて、乗籠を各階に停止させる各階停止運転を自動で行うエレベータシステムによれば、乗籠の中の操作ボタンおよび各階のホール呼びボタンのいずれにも一切触ることなく階層間の移動ができる。接触感染による感染のリスクを排除することができる。また、例えば噴霧装置に貯留されている消毒液が消費されてしまい十分な消毒が行えなくなった場合などにも、この自動運転をすることで、エレベータの利用ができなくなってしまう状況を回避することができる。
【図面の簡単な説明】
【００２１】
【図１】本発明の第１の実施形態のエレベータシステムの乗籠を示す斜視図。
【図２】図１に示した消毒液噴霧装置を示す斜視図。
【図３】図１に示した乗籠の水平断面図。
【図４】図２に示した消毒液噴霧装置のノズルを模式的に示す断面図。
【図５】図１に示した乗籠の天井側から見た斜視図。
【図６】図１に示したエレベータシステムの第１の制御のフローチャート。
【図７】図１に示したエレベータシステムの第２の制御のフローチャート。
【図８】図１に示したエレベータシステムの第３の制御のフローチャート。
【図９】図１に示したエレベータシステムの第４の制御のフローチャート。
【発明を実施するための形態】
【００２２】
本発明に係る第１の実施形態のエレベータシステム１は、図１から図５を参照して説明する。このエレベータシステム１は、図１に示すように、乗籠２と、２つの噴霧装置３，４と、制御装置５と、空気調節機６と、報知装置７と、各階に設置されるホール呼びボタン８と、巻上機９とを備える。本明細書において、以降の説明の便宜上、乗籠２の移動方向を「鉛直方向」として重力に逆らう方向を「上」、重力の作用する方向を「下」、乗籠２の中から乗口２１がある側を見て「前」,「後」（または「背」）,「右」,「左」をそれぞれ定義する。
【００２３】
乗籠２は、乗口２１から入ってすぐ振り向いたところに設けられる操作盤２２に、操作ボタン２２０を配置している。目的階を登録するための行先階ボタン２２１や、ドア装置２３の開放および閉鎖を操作する開ボタン２２２と閉ボタン２２３のほか、乗籠２内から係員に連絡を取るための非常ボタン２２４が、この操作ボタン２２０に含まれる。また、乗籠２の奥行き方向に中程の位置に車椅子利用者専用の操作盤が設けられている場合は、ここに用意されるボタンも、乗籠２内の操作ボタン２２０に含まれる。乗口２１が前面と背面の２方向に用意されている場合は、それぞれの乗口２１の脇にある操作盤２２に用意される各種のボタンも、操作ボタン２２０に含まれる。
【００２４】
また、図１に示すようにこの乗籠２は、乗口２１側を見て右の側壁２ａに手摺２４が取り付けられている。乗籠２の中が見えるようにするために、乗籠２の後の側壁２ｂと左の側壁２ｃは、図１において図示するのを省略している。手摺２４は、左の側壁２ｃや後ろの側壁２ｂにも設けられる。乗籠２は、操作ボタン２２０の上部に、移動方向と階床を表示する表示装置２５を備えている。報知装置７は、表示装置２５と操作ボタン２２０の間の部分に内蔵されている。報知装置７は、乗籠２が目的階に着床したり、ドア装置２３が自動で閉じられたりするときに、音声で案内をする機能を有している。
【００２５】
乗籠２の天井２ｅは、右の側壁２ａ、左の側壁２ｂ、後の側壁２ｃ、および乗口２１の幕板２ｄに対して、空気が流れるのに十分な数センチの隙間Ｇａ，Ｇｂ，Ｇｃ，Ｇｄを有している。天井２ｅの中央部には、照明装置２６が取り付けられている。
【００２６】
２つある噴霧装置３，４のうち、噴霧装置３は、図１に示すように、操作ボタン２２０寄りの右の側壁２ａに内蔵されている。この噴霧装置３は、制御装置５によって作動を制御され、消毒液Ａを操作ボタン２２０に向けて噴霧する。噴霧装置３は、図２に示すようにタンク３１とエアーコンプレッサ３２とノズル３３とマニホールド３４と電磁弁３５とを備えている。
【００２７】
タンク３１は、消毒液Ａを貯留している。消毒液Ａとして主に利用されるものは、医療用エタノールが好ましい。消毒液Ａとして噴霧した後に気化しやすくまた人体に影響のないものであれば、エタノールに代えて利用することもできる。エアーコンプレッサ３２は、タンク３１の下方に配置されている。
【００２８】
エアーコンプレッサ３２は、ポンプ３２１で造られた圧搾空気をいったん蓄圧タンク３２２に溜める。一度に必要になる流量が少なければ、エアーコンプレッサ３２の代わりに圧縮空気や窒素ガス、二酸化炭素の入ったボンベを採用することができる。
【００２９】
ノズル３３は、図２に示すように、乗籠２の側壁２ａに設けられた凸部２７の中に固定されている。このノズル３３は、図２および図３に示すように、操作ボタン２２０が配置された範囲全域に消毒液を噴霧できるよう複数の噴射口３３１を有している。ノズル３３は、図２に示すように、各噴射口３３１に消毒液Ａを供給する細管３３２がマニホールド３４から接続されている。マニホールド３４は、タンク３１の底部に接続されている。また、ノズル３３は、噴射口３３１から消毒液Ａを霧状にして噴射するために、エアーコンプレッサ３２から圧搾空気Ｐが供給されている。電磁弁３５は、ノズル３３とエアーコンプレッサ３２とを接続する配管３２３の途中に設けられている。
【００３０】
また、ノズル３３は、配管３２３によって供給された圧搾空気Ｐを各噴射口３３１に分配する流路３３３を内部に備えている。各細管３３２は、図４に示すように、噴射口３３１までの間において、流路３３３に対してほぼ直角に合流している。細管３３２と流路３３３の合流点Ｔは、いわゆるベンチュリのように絞られている。圧搾空気Ｐは、噴射口３３１に向けて合流点Ｔを吹き抜けることで、細管３３２の出口近傍の気圧を下げ、消毒液Ａを吸い出す。合流点Ｔよりも下流側の流路３３３内の圧力が上流側よりも下がっており、かつ、消毒液Ａが圧搾空気Ｐによって細粒化されるので、消毒液Ａは、噴射口３３１から霧となって噴射される。
【００３１】
噴射口３３１は、図４に示すようにチョーク３３１ａを有していることによって、消毒液Ａが噴霧野Ｓに満遍なく拡がる。各噴射口３３１から噴射される消毒液Ａの噴霧野Ｓは、噴射口３３１の形状を変えることによって、調整することができる。また、各噴射口３３１から噴射される消毒液Ａの量は、合流点Ｔの形状および、圧搾空気Ｐの流速で調整できる。したがって、各操作ボタン２２０に対応する噴射口３３１の形状および合流点Ｔの形状は、その噴霧野Ｓに含まれる操作ボタン２２０の利用頻度に合わせて設計するとよい。
【００３２】
なお、各噴射口３３１から消毒液Ａを噴霧する時間を切り替えたり、消毒液Ａを噴霧する対象となる操作ボタン２２０を一定の領域ごとに選択したりすることができるように、合流点Ｔの上流に各噴射口３３１に対応した電磁弁を別途設けることも好ましい。消毒液Ａを噴霧した後、噴射口３３１から液垂れが生じないように、消毒液Ａの供給を止めるための電磁弁を、各細管３３２に設けるか、マニホールド３４とタンク３１との間に設けてもよい。この場合、消毒液Ａの供給を止める電磁弁を先に閉じた後、少しエアブローを行ったのち、圧搾空気側の電磁弁３５を閉じることで、液垂れを防止できる。
【００３３】
もう一つの噴霧装置４は、乗籠２の中へ全体的に消毒液Ａを噴霧する。そのために、この室内用の噴霧装置４は、図１および図５に示したように、乗籠２の天井２ｅの上に配置されている。この噴霧装置４の基本的な機構は、側壁２ａに取り付けられるボタン用の噴霧装置３と同じである。したがって、室内用の噴霧装置４の詳細については、ボタン用の噴霧装置３について記述した説明を参酌するものとする。室内用の噴霧装置４がボタン用の噴霧装置３と異なっているのは、ノズル４３ａ，４３ｂの配置である。
【００３４】
ノズル４３ａは、隙間Ｇａに沿う天井２ｅの縁に沿って取り付けられている。ノズル４３ｂは、隙間Ｇｂに沿う天井２ｅの縁に沿って取り付けられている。ノズル４３ａに設けられた複数の噴射口４３１から噴出される消毒液Ａは、隙間Ｇａを通して乗籠２の中に噴出される。またノズル４３ｂに設けられた複数の噴射口４３１から噴出される消毒液Ａは、隙間Ｇｂを通して乗籠２の中に噴出される。このとき、噴霧された消毒液Ａがノズル４３ａ，４３ｂの近傍で側壁２ａ，２ｃや天井２ｅに触れて結露しないようにするために、噴霧する消毒液Ａの粒径を小さくする。したがって、噴霧装置４として、超音波霧化装置を採用してもよい。
【００３５】
空気調節機６は、図５に示すように、乗籠２の天井２ｅの上に設置されており、ハウジング６０と吸気口６１とファン６２とダクト６３と循環路６４とを備えている。吸気口６１は、ファン６２の外周を囲うハウジング６０の上面に開口している。ファン６２は、乗籠２の外、つまり昇降路から吸気口６１を通して空気を吸込む。このファン６２は、乗籠２の中から見て、例えば時計回りに回転する場合、回転軸に沿って空気を吸込み、遠心方向に吹き出す。また反時計回りに回転する場合、ファン６２は、空気を遠心方向から吸って回転軸方向に吹き出す。なお、ファン６２の回転方向と空気の流れとの関係は、前記した方向に限定されるものではない。
【００３６】
ダクト６３は、図５に示すように、ファン６２の外周を囲うハウジング６０から右の側壁２ａ、左の側壁２ｂ、後の側壁２ｃにそれぞれ面した天井２ｅの縁まで延びている。天井２ｅの縁まで延びたダクト６３の開放端６３１は、天井２ｅの縁に沿って細長く拡がっている。ダクト６３は、開放端６３１の全長に渡って、ほぼ均質に、空気を流出させる。各ダクト６３は、天井２ｅの外周と右の側壁２ａ、後の側壁２ｂ、左の側壁２ｃとのそれぞれ隙間Ｇａ，Ｇｂ，Ｇｃを通して、ファン６２から吹き出された空気を乗籠２の中に流入させる。したがって、噴霧装置４と空気調節機６とが同時に作動すると、噴霧された消毒液Ａは、ダクト６３から流出する空気に乗って、乗籠２の室内に拡散される。
【００３７】
循環路６４は、乗口２１側の天井２ｅの縁に沿って設けられたスロット２ｆと吸気口６１との間に装着されている。吸気口６１側に固定された循環路６４の端部は、吸気口６１を部分的に覆っている。したがって、ファン６２が乗籠２の中から見て時計回りに回転する場合、ファン６２は、循環路６４を通して乗籠２の室内の空気を天井２ｅのスロット２ｆから吸い込む。
【００３８】
この空気調節機６は、乗籠２が乗客を乗せて運転している間、室内の空気を循環させて温度と湿度を快適な状態に保つ。また、温度と湿度を調節できることを利用して、空気調節機６は、乗籠２の中に浮遊するウイルスの効力を弱める温度と湿度の設定に乗籠２の中の環境を変えることもできる。例えば、インフルエンザウイルスの場合、温度が２０°以上で湿度が６０％以上の場合、活動が弱まり、温度が３０°以上で湿度が６０％以上の場合、ほとんど生存できなくなることが知られている。そこで、空気調節機６によって乗籠２の中の温度と湿度を乗客が不快に感じない温度２０°湿度６０％に普段設定しておき、乗客が居ないときに、温度３０°湿度６０％に設定を切り替えウイルスの殺菌を積極的に行うこともできる。また、空気調節機６は、換気扇としての機能も有しており、乗籠２内の空気を換気する。
【００３９】
次に、制御装置５について説明する。このエレベータシステム１において、制御装置５は、少なくとも一度乗客が乗籠２に乗った状況があったあと、乗籠２内に乗客が一人もいなくなったことを判断し、噴霧装置３，４を作動させる。したがって、乗籠２に一度乗客が乗ったこと、および、乗籠からすべての乗客が降りたことを判断するために、制御装置５は、図１に示すように、乗籠２の操作盤２２、乗籠２のドア装置２３、ボタン用の噴霧装置３、室内用の噴霧装置４、空気調節機６、報知装置７、ホール呼びボタン８、巻上機９にそれぞれ接続されている。
【００４０】
制御装置５は、乗籠２の操作盤２２と接続されていることによって、行先となる目的階が操作ボタン２２０から入力（登録）されたか否か、および、設定された目的階が残っているか否かを判断する。また、制御装置５は、ドア装置２３に接続されていることによって、着床階でドア装置が開かれているか否かを判断する。制御装置５は、噴霧装置３，４に接続されていることによって、噴霧装置３，４、に対して作動指令を出力するとともに、噴霧装置３，４が作動中であるか、もしくは、作動完了後の経過時間を判断する。制御装置５は、空気調節機６に接続されていることによって、空気調節機６の動作の有無を判断し、温度および湿度の設定の変更の指令を出力する。制御装置５は、報知装置７に接続されていることによって、乗籠２内の乗客に対して感染症に対する注意を喚起するために、音声、表示、警報音などによって報知する。
【００４１】
制御装置５は、ホール呼びボタン８に接続されていることによって、乗籠２の操作ボタン２２０から登録されている最後の目的階に着床した場合に、その着床した階から新たに乗客が乗ってくるか否かを判断する。そして、制御装置５は、巻上機９に接続されていることによって、乗籠２にかかる負荷を検出し、乗籠２内に乗客が残っているか否かを判断する。また、制御装置５は、このエレベータシステム１を保守メンテナンスのために監視している管理センタ１００に接続されている。
【００４２】
以上のように構成されたエレベータシステム１において、制御装置５が乗籠２の内部の消毒作業を行う場合の制御フローについて以下に説明する。  
まず、乗籠２の利用者がしばらくいない状態のときに乗籠２の内部の消毒作業を行う第１の制御フローを図６に示す。図６に示すように、制御装置５は、乗籠２内に乗客が居ないことを判断するために、まず、移動すべき方向が設定されているか判断（Ｓ６１）する。移動すべき方向が設定されているということは、つまり、移動中であるか、乗客が設定した目的階がまだ他にも残っているということを意味する。したがって、移動方向の設定を持たなくなるまで確認が繰り返される。移動方向画の設定が無い場合、乗籠２に乗客が居ないことを示唆している。
【００４３】
しかし、何らかの理由で乗籠２内に在留している可能性もあるので、一定時間が経過したか確認（Ｓ６２）する。一定時間が経過していない場合は、引き続き、乗籠２に移動すべき方向が設定されないか判断（Ｓ６１）する。そして、方向を持っていない状態で、一定時間経過した場合、噴霧装置３，４に噴霧指令を出力（Ｓ６３）する。経過時間の計測を開始するタイミングは、ドア装置２３を閉じる指令信号が出力されたとき、またはドア装置２３が閉じられた確認信号が出力されたときとする。
【００４４】
このように、エレベータが利用されていない時間が一定時間ある場合に、この時間を利用して、乗籠２の内部の消毒作業を完了させる。噴霧装置３，４を作動させて乗籠２の中の操作ボタン２２０や乗籠２の室内に消毒液Ａを噴霧する消毒作業中である場合、あるいは、消毒作業が完了した後でも乗籠２の内部の環境が乗客を受け入れるのに適した環境になるまでの間、着床階のホール呼びボタン８が操作されても、制御装置５は、乗籠２のドア装置２３を開かない。また他の階のホール呼びボタン８が操作された場合、ホール呼びボタン８が操作された階まで乗籠２を移動させてもよいが、ドア装置２３を開かないようにする。
【００４５】
このようにすることで、乗籠２内に消毒液およびその雰囲気が残留していることによる不快な思いをさせないようにする。また、ホール呼びボタン８が設置されたホール操作盤８０において「消毒中」や「清掃中」などの表示や音声案内による報知を行ってもよい。
【００４６】
次に、乗籠２の中の操作ボタン２２０から設定された最後の目的階に応答し、乗客が乗籠２に乗っていないと判断できる場合に消毒作業を行う第２の制御フローを図７に示す。図７に示すように、制御装置５は、次に移動すべき行先となる目的階が乗籠２の操作ボタン２２０から設定されているか、すなわち「籠呼び」があるか判断（Ｓ７１）する。籠呼びが無い場合、エレベータを利用する乗客が、乗籠２に乗っていないと判断できる。籠呼びがある場合、乗客が乗籠２に乗っていることが想定される。その籠呼びに対応して目的階に乗籠２を移動し、ドア装置２３の開閉を行う。そして、すべての籠呼びに応答したか判断（Ｓ７２）し、籠呼びがなくなるまで繰り返す。すべての籠呼びに応答し次に設定された籠呼びが無い場合、乗籠２に乗っていた乗客は、すべて降りたと考えられる。
【００４７】
ただし、最後に着床した目的階から最後に降りる乗客と入れ替わりに新たに乗客が乗ってくることも想定される。そこで、最後に到着した階のホール呼びボタンが操作されているか、すなわち「ホール呼び」があるか否かを判断（Ｓ７３）する。ホール呼びがある場合は、着床した会から新たに乗客が乗ってくることを意味する。したがって、この場合は、この制御フローの先頭に戻って、籠呼びがあるか判断（Ｓ７１）する。
【００４８】
ホール呼びが無い場合、最後の籠呼びに応答して着床した目的階に乗籠２に乗っていた最後の乗客が降り、その目的階から新たに乗客が乗ってこないこと、すなわち、最後の目的階でドア装置を閉じたときには乗籠２に乗っている乗客が一人もいないことを意味する。そこで、制御装置５は、すべての籠呼びに応答しかつ最後の目的階のホール呼びが無い場合、ドア装置２３を閉じた後、噴霧装置３，４に噴霧指令を出力（Ｓ７４）し、消毒作業を開始する。
【００４９】
第２の制御フローにおいても、噴霧装置３，４が作動している消毒作業中である場合、あるいは、消毒作業が完了した後でも乗籠２の内部の環境が乗客を受け入れるのに適した環境になるまでの間、第１の制御フローの場合と同様に、着床階のホール呼びボタン８が操作されても、制御装置５は、乗籠２のドア装置２３を開かない。また他の階のホール呼びボタン８が操作された場合、ホール呼びボタン８が操作された階まで乗籠２を移動させてもよいが、ドア装置２３を開かないようにする。
【００５０】
この第２の制御フローによれば、乗籠２に乗っている乗客がすべて降り、次に乗客が乗ってこないことをきっかけに、消毒作業を開始することができる。そのため、エレベータシステム１の利用頻度が高い場合でも、乗客がいないことを的確に判断し、乗籠２の内部の消毒作業を実施することができる。
【００５１】
次に、運行回数が設定回数を超えた場合に消毒作業を行う制御フローについて説明する。本実施形態では、特に、乗籠２の中の操作ボタン２２０から設定された最後の目的階に応答した回数、および、乗客が乗籠２に乗っていないと判断された回数が、それぞれ設定された回数になった場合に消毒作業を行う第３の制御フローを図８に示す。
【００５２】
ここでは、最下階から最上階までの間で移動方向が変わるまで、「上り」または「下り」へ一方向に乗籠が移動する運行を１回の運行と仮定する。なお、移動方向がなくなった待機状態になったときも１回の運行が完了したと仮定する。その場合、１回の運行によって着床する階が少なく、次の運行まで時間が空くことが多い、あるいは、最終到着階から新たに乗客が乗ってくることがほとんど無いという条件で利用されるエレベータシステム１も想定される。そのような場合、第１の制御フローや第２の制御フローでは、利用率に比べて消毒作業が頻繁に行われることとなる。
【００５３】
図８に示す第３の制御フローでは、予め設定された運行回数に達している場合に、制御装置５が噴霧装置３,４に対して噴霧指令を出力するものである。まず、制御装置５は、籠呼びがあるか判断（Ｓ８１）する。籠呼びがある場合は、乗客が乗っていることであるから、制御装置５は、その登録階へ乗籠２を移動（Ｓ８２）する。次に制御装置５は、すべての籠呼びに応答したか判断（Ｓ８３）する。応答していない場合は、次の登録階へ乗籠２を移動（Ｓ８２）する。すべての籠呼びに応答した場合、乗籠２は、「上り」または「下り」の一方向に移動して１回の運行が終わったと考えられる。そこで、制御装置５は、すべての籠呼びに応答し終わった回数である運行回数ｍを１つ繰り上げる（Ｓ８４）。
【００５４】
そして、制御装置５は、１回の運行が終わり、すべての籠呼びに応答した最終到着階において、ホール呼びがあるか判断（Ｓ８５）する。ホール呼びがある場合は、次の運航が開始されることである。したがって、制御装置５は、ドア装置２３を閉じたときに乗籠２の籠呼びが設定されたか判断（Ｓ８１）し、すべての籠呼びに応答し終わるまで運行し（Ｓ８２〜Ｓ８４）、再び、最終到着階のホール呼びがあるか判断する（Ｓ８５）。ホール呼びが無い場合、乗籠２は、待機状態になる。そこで、制御装置５は、この待機状態のときに消毒作業をするか否かを、運行回数ｍが設定運行回数Ｍを超えているか、または、先の消毒作業からこれまでの間に待機状態となった回数である待機回数ｎが設定待機回数Ｎを超えているか判断（Ｓ８６）する。なお、第３の制御フローにおいて、設定運行回数Ｍは、設定待機回数Ｎよりも大きい数値が設定される。
【００５５】
制御装置５は、運行回数ｍまたは待機回数ｎのどちらかが設定回数を超えている場合、噴霧装置３，４に噴霧指令を出力（Ｓ８７）する。運行回数ｍおよび待機回数ｎのいずれも設定回数を超えていない場合、制御装置５は、待機回数ｎを１つ繰り上げ（Ｓ８８）、次のホール呼びが設定されるまで、待機状態となる。ホール呼びがあった場合、制御装置５は、ホール予備のあった階に乗籠を移動させドア装置２３を開く。その階から乗客が乗った場合、籠呼びが設定されるはずである。したがって、制御装置５は、ドア装置２３を閉じた後に籠呼びがあるか判断（Ｓ８１）することで、乗客が乗ってきたかどうか判断する。
【００５６】
利用者によっては、ホール呼びボタン８を押したが乗籠２がなかなか来ないので、階段を利用することもある。そのような場合、制御装置５は、ドア装置２３を閉じた後に籠呼びがあるか判断（Ｓ８１）し、籠呼びが無いことによって乗籠２に乗客が乗らなかったと判断する。このことは、最終到着階でホール呼びがあるか判断（Ｓ８５）し、ホール呼びがあったにもかかわらず乗客が乗らなかった場合も同様である。また、最終到着階から新たに乗客が乗り、待機状態になることなく数回の運行が繰り返されることもありうる。このような場合、運行回数ｍは、設定運行回数Ｍを超えていることも想定される。
【００５７】
したがって、籠呼びが無い場合、乗籠２に乗客がおらず、消毒作業をするチャンスである。そこで、運行回数ｍが設定運行回数Ｍを超えていないか判断（Ｓ８９）し、超えていない場合、そのまま待機状態へ戻る。運行回数ｍが設定運行回数Ｍを超えている場合、制御装置５は、噴霧装置３，４に対して噴霧指令を出力（Ｓ８７）する。
【００５８】
第３の制御フローによって制御されるエレベータシステム１は、例えば、時間帯によって利用者の数が大きく変動する環境で使用されるときに適している。つまり、利用者が多く待機状態になることが少ない時間帯では、運行回数ｍを目安に、待機状態になった機会を逃すことなく乗籠２の消毒作業を行える。また、利用者が少なく頻繁に待機状態になる時間帯では、待機回数ｎを目安に、利用頻度を見極めて乗籠２の消毒作業を行える。
【００５９】
このように、このエレベータシステム１は、採用される環境条件に応じて、設定運行回数Ｍおよび設定待機回数Ｎを最適条件に設定することで、乗籠２の内部の消毒作業の頻度を設定することができる。そして、乗籠２の中の衛生状態は、いずれの場合でも良好に保たれる。
【００６０】
また、運行回数ｍが設定運行回数Ｍに達した場合と、待機回数ｎが設定待機回数Ｎに達した場合とで、異なる消毒作業をすることも可能である。例えば、運行回数ｎが設定運行回数Ｍに達したことによって消毒作業が行われる場合、乗客によって乗籠２内の操作ボタン２２０の中でも行先階ボタン２２１、開ボタン２２２、閉ボタン２２３が頻繁に触られていることが想定される。したがって、この場合、制御装置５は、操作ボタン用の噴霧装置３を作動させる。また、待機回数ｎが設定待機回数Ｎに達したことによって消毒作業が行われる場合、乗客が少ないことが想定される。このような場合は、室内用の噴霧装置４を作動させ、乗籠２内を全体的に消毒する。さらに、運行回数ｍが設定運行回数Ｍを大幅に超えるようなことがあった場合には、噴霧装置３,４を両方とも作動させるとともに、消毒液Ａの噴霧量を増やすなど、入念に消毒作業を実施することもできる。
【００６１】
次に、重量を検知することによって乗籠２に乗客が乗っていることを判断する第４の制御フローを図９に示す。百貨店などの場合、複数の乗客が乗籠２に乗り、行き先となる目的階を銘銘に登録していても、途中で気が変わって違う階で降りてしまう乗客も、中には居る。このような場合、乗籠２の操作ボタン２２０から設定された籠呼びが残っているにもかかわらず、乗客が居ないことも想定される。このエレベータシステム１は、籠呼びが残っているのに乗客が居ないことを判断するために、巻上機９に設置される負荷検知器の負荷信号を重量を検知する手段として採用する。巻上機９の負荷信号の代わりに乗籠２に設置される重量検知器の重量信号を採用してもよい。
【００６２】
図９に示す第４の制御フローにおいて、まず、制御装置５は、乗籠２のドア装置２３が閉じられた後に籠呼びがあるか判断する（Ｓ９１）ことによって、乗客が乗籠２に乗ったか判断する。籠呼びが無い場合、少なくとも操作ボタン２２０に触れていないと考えられる。また、籠呼びがあった場合、少なくとも目的階を登録するために操作ボタン２２０を操作していると判断できる。そこで制御装置５は、乗籠２のドア装置２３を閉じた後に巻上機９の負荷検知器によって乗籠２に何かしら載せられた積載物があるか判断（Ｓ９２）することによって、乗客が乗っているかいないか判断することができる。積載物が無い場合、制御装置５は、噴霧装置３，４に噴霧指令を出力（Ｓ９３）することで、乗籠２の中の消毒作業を行う。
【００６３】
積載物がある場合、制御装置５は、乗客が乗っていると判断し、籠呼びに応じた登録階へ乗籠２を移動する（Ｓ９４）。そして、第２および第３の制御フローと同様に、制御装置５は、すべての籠呼びに応答したか判断（Ｓ９５）する。すべての籠呼びに応答していない場合、再度、積載物が有るか判断（Ｓ９２）する。積載物が無い場合、籠呼びの登録が残っているか否かに係らず、制御装置５は、乗客が居ないと判断できるので、噴霧装置３，４に噴霧指令を出力して乗籠２の中の消毒作業を行う。積載物がある場合、制御装置５は、籠呼びが残っておりかつ積載物がある限り、乗客が居ると判断して次の登録階へ乗籠を移動（Ｓ９４）することを繰り返す。
【００６４】
制御装置５は、すべての籠呼びに応答し終えた場合、第２および第３の制御フローと同様に、最終到着階におけるホール呼びがあるか判断（Ｓ９６）する。ホール呼びがあった場合、制御装置５は、ドア装置２３を閉じた後に新たな目的階が設定されていないか、すなわち籠呼びがあるか判断（Ｓ９７）することで、乗客が乗籠２に乗っているか判断する。籠呼びがある場合、制御装置５は、乗客が居ると判断し、再び、積載物が有るか（Ｓ９２）、すべての籠予備に応答したか（Ｓ９５）、到着会のホール呼びがあるか（Ｓ９６）の判断を繰り返す。
【００６５】
ホール呼びが無い場合、制御装置５は、ドア装置２３を閉じた後に積載物があるか判断（Ｓ９８）することによって、再度乗客が乗籠に居ないことを判断する。積載物が無い場合、制御装置５は、乗客が乗籠２内に残っていないと判断できるので、噴霧装置３，４に噴霧指令を出力し、乗籠２の中を消毒する。ホール呼びがあったのに籠呼びが無い場合、制御装置５は、乗客が乗籠２に残っていないか確認するため、乗籠２のドア装置２３を閉じた後に積載物があるか判断（Ｓ９８）する。
【００６６】
ホール呼びが無い、あるいは、ホール呼びがあったのに籠呼びが無いと判断した後に積載物があるか判断（Ｓ９８）し、積載物があった場合、乗籠２に乗客が乗っているかもしれないし、荷物が放置されているのかもしれない。このような場合、安全確認の意味も含め、制御装置５は、運行を休止し、乗籠２のドア装置２３を開放するとともに、接続されているこのエレベータシステム１の管理センタ１００へ通報する。
【００６７】
このように、第４の制御フローによって制御されるエレベータシステム１は、乗籠２に積載物があるかを巻上機９の負荷検知器で検出することによって、乗客が乗籠２に乗っているかどうかを判断する。したがって、乗籠２が待機状態になった場合でも、乗籠２に乗客が乗っている状況で、制御装置５が噴霧装置３，４を作動させてしまうことがない。
【００６８】
また、上述の第２の制御フローにおいて、到着階のホール呼びがあるか判断（Ｓ７３）してホール呼びが無い場合、噴霧装置３，４に対して噴霧指令を出力する（Ｓ７４）前に一定時間運転したかを判断するようにしてもよい。この場合、設定された時間を超えている場合、制御装置５は、噴霧装置３，４に噴霧指令を出力する。このようにすることで、少なくとも一度乗客が乗籠２に乗った後の経過時間によって、乗籠２の中の消毒をするタイミングを管理することができる。
【００６９】
また、第１の制御フローによって制御されるエレベータシステム１において、方向を持っているか判断する（Ｓ６１）ことを止め、ただ単に、一定時間経過したかのみで制御装置５が噴霧装置３，４を作動させるようにしてもよい。この場合、消毒液Ａが乗客にかからないようにするために、制御装置５は、一定時間経過した後の最初の到着階でドア装置２３を開いたまま、乗籠２の中に設けた報知装置７から音声案内によって消毒作業が行われることを通知する。また、制御装置５は、巻上機９の負荷検知器で、すべての乗客が乗籠２から降りたことを確認した後でドア装置２３を閉じ、噴霧装置３，４に噴霧指令を出力して作動させる。
【００７０】
第２から第４の制御フローによって制御されるエレベータシステム１において、すべての籠呼びに応答した後であってもさらにホール呼びがあったために、消毒作業を行えない場合も生じるかもしれない。そのような場合、制御装置５は、一定時間以上、噴霧装置３，４が作動していないことを検出し、乗客に対して感染症に対する注意を喚起する案内を報知装置７から音声案内によって、報知するようにしてもよい。
【００７１】
このエレベータシステム１は、管理センタ１００に接続されているので、公的機関の注意報や警報などの発表に応じて、制御装置５の設定を管理センタ１００から変更することもできる。例えば、報知装置７から注意を喚起する音声案内を流すように制御装置５を管理センタ１００から設定することもできる。また、各階の乗場に設置されているホール呼びボタン８のうち、建物の外部に接続される基準階に向かう方向のホール呼びボタン８が操作された場合、その基準階を目標階として籠呼び登録を自動で登録するように制御装置５を設定することもできる。
【００７２】
エレベータシステム１が第１から第４の制御フローのいずれによって制御されるばあいでも、乗籠２の中に配置された操作ボタン２２０を操作して目的階が設定されている、つまり「籠呼び登録」がされている場合、制御装置５は、ホール呼びボタン８に応答することなく、籠呼び登録のみによって運行されるようにしてもよい。このようにすることによって、エレベータシステム１は、不特定多数の乗客が乗籠２に同時に乗り合わせる機会を減らすことができる。このとき、籠呼び登録によって停車した階に乗籠２を待っている乗客がいることも予想される。したがって、籠予備の登録階でホール呼びがあった場合、その階のホール操作盤８０から、例えば「降車のみ」の表示をする、または、音声案内をするなど、待機している乗客に対して乗籠２に乗り込まないように報知を行う。
【００７３】
噴霧装置３，４の作動頻度が高いと、頻繁に消毒液Ａを補充しなければならない。このエレベータシステム１は、管理センタ１００に接続されているので、噴霧装置３，４のタンク３１の残量を検知する液量センサを設けておき、この検出信号を基に消毒液Ａの補充を行うようにすることができる。ただし、補充が間に合わないこともありうる。そこで、制御装置５は、噴霧装置３，４のタンクに貯留されている消毒液Ａが消費されたことを液量センサで検出した場合、乗籠２を各階に自動で停止させる、各階停止運転を行うようにしてもよい。このようにすることで、乗客が乗籠２の操作ボタン２２０や乗場のホール呼びボタン８に触れることなく、エレベータシステム１を利用することができる。この場合、さらに報知装置７やホール操作盤８０から各階停止運転を行っていることを放置することが好ましい。
【００７４】
なお、室内用の噴霧装置４の代わりに超音波噴霧機構を有するミスト発生器を採用する場合、ミスト発生器は、各ダクト６３とハウジング６０との連結部にそれぞれ設置する。ミスト発生器によって発生した消毒液Ａのミストは、ダクト６３によって乗籠２の室内に案内される。このミスト発生器は、超音波によって消毒液Ａを霧化させるので、「靄」のようにミストの粒子が非常に細かく、ゆっくりとした空気の流れで消毒液Ａのミストを図５に示すように乗籠２の室内全体にいきわたらせることができる。
【００７５】
また、このエレベータシステム１は、噴霧装置３，４を作動させるときに空気調節機６の温度および湿度の設定を切り替え、感染症の原因菌が生存できなくなる環境に乗籠２の中の温度および湿度を変えることもできる。例えば、インフルエンザウイルスの場合であれば温度３０°以上、湿度６０％以上にすることでほとんど生存できなくなることが知られているので、乗客がいない場合に乗籠２の中の温度および湿度を上記設定にすることも好ましい。
【００７６】
また、第１から第４の制御フローは、それぞれ組合わせてエレベータシステム１を運行するようにしてもよい。例えば、第２の制御フローと第４の制御フロー、第３の制御フローと第４の制御フローをそれぞれ組合わせることもできる。
【符号の説明】
【００７７】
１…エレベータシステム、２…乗籠、２ａ，２ｂ，２ｃ…側壁、２ｅ…天井、３…噴霧装置、４…噴霧装置、５…制御装置、６…空気調節機、７…報知装置、８…ホール呼びボタン、２２０…操作ボタン、Ａ…消毒液、Ｇａ，Ｇｂ，Ｇｃ…隙間。
【図１】
2011051715.tif 000003
【図２】
2011051715.tif 000004
【図３】
2011051715.tif 000005
【図４】
2011051715.tif 000006
【図５】
2011051715.tif 000007
【図６】
2011051715.tif 000008
【図７】
2011051715.tif 000009
【図８】
2011051715.tif 000010
【図９】
2011051715.tif 000011